(57)【要約】【課題】冷蔵室用冷却器の除霜が、冷蔵室の温度過昇の問題を解決しつつ、確実にできるようにする。【解決手段】通常は、冷凍モード中に冷蔵室用ファンを作動させて冷蔵室用冷却器の除霜を行い、且つ、冷凍モードから前記冷蔵モードへの移行を冷蔵室用冷却器温センサの検知結果に依存せずに実行し、特定条件が満たされた場合には、冷凍モード中に冷蔵室用ファンを作動させて冷蔵室用冷却器の除霜を行い（ステップＡ２０２、Ａ２０３）、且つ、冷凍モードから冷蔵モードへの移行（ステップＡ２０８〜Ａ２１０）を冷蔵室用冷却器温センサの検知結果が第１の所定温度以上であるとき（ステップＡ２０５でＹＥＳ）に実行するようにした。【選択図】図３
2009068820.tif 000002
【特許請求の範囲】
【請求項１】
冷凍室と冷蔵室とを具備すると共に、
前記冷凍室の冷却に供する冷凍室用冷却器と、
前記冷蔵室の冷却に供する冷蔵室用冷却器と、
前記冷凍室用冷却器を加熱する冷凍室用冷却器除霜ヒータと、
前記冷蔵室の空気を前記冷蔵室用冷却器に接触させて循環させる冷蔵室用ファンと、
前記冷蔵室用冷却器の温度を検知する冷蔵室用冷却器温センサと、
前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、特定条件が満たされた場合には、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする冷蔵庫。
【請求項２】
冷凍室と冷蔵室とを具備すると共に、
前記冷凍室の冷却に供する冷凍室用冷却器と、
前記冷蔵室の冷却に供する冷蔵室用冷却器と、
前記冷凍室用冷却器を加熱する冷凍室用冷却器除霜ヒータと、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室用冷却器の温度を検知する冷蔵室用冷却器温センサと、
前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、特定条件が満たされた場合には、前記冷凍モード中に前記冷蔵室用ファンを作動させると共に前記冷蔵室用冷却器除霜ヒータを作動させて前記冷蔵室用冷却器の除霜を行う制御をする制御手段を具備して成ることを特徴とする冷蔵庫。
【請求項３】
冷凍室と冷蔵室とを具備すると共に、
前記冷凍室の冷却に供する冷凍室用冷却器と、
前記冷蔵室の冷却に供する冷蔵室用冷却器と、
前記冷凍室用冷却器を加熱する冷凍室用冷却器除霜ヒータと、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室用冷却器の温度を検知する冷蔵室用冷却器温センサと、
前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、特定条件が満たされた場合には、前記冷凍モード中に前記冷蔵室用ファンを作動させると共に前記冷蔵室用冷却器除霜ヒータを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする冷蔵庫。
【請求項４】
特定条件が、冷凍モード中に冷蔵室用冷却器温センサの検知結果が第１の所定温度以上にならなかったことであることを特徴とする請求項１ないし３のいずれかに記載の冷蔵庫。
【請求項５】
特定条件が、冷凍モード中に冷蔵室用冷却器温センサの検知結果が第１の所定温度以上になるまでに第１の所定時間以上を要したことであることを特徴とする請求項１ないし３のいずれかに記載の冷蔵庫。
【請求項６】
特定条件が、冷凍モードと冷蔵モードの１回ずつの実行を１サイクルとして、それが第１の所定サイクル数以上繰返されたことであることを特徴とする請求項１ないし３のいずれかに記載の冷蔵庫。
【請求項７】
特定条件が、冷凍室用冷却器と冷蔵室用冷却器及びこれらへの冷媒の流路又は流量を切替える弁を含んで冷凍サイクルを構成する圧縮機の運転率が、所定運転率以上であることを特徴とする請求項１ないし３のいずれかに記載の冷蔵庫。
【請求項８】
特定条件が、冷凍室用冷却器と冷蔵室用冷却器及びこれらへの冷媒の流路又は流量を切替える弁を含んで冷凍サイクルを構成する圧縮機が設定回転速度より高い回転速度で回転した運転の積算時間が、第１の所定時間以上であることを特徴とする請求項１ないし３のいずれかに記載の冷蔵庫。
【請求項９】
特定条件が、冷蔵モードの運転積算時間、又は冷蔵モードと冷凍モードの合計運転積算時間が第２の所定時間以上であることを特徴とすることを特徴とする請求項１ないし３のいずれかに記載の冷蔵庫。
【請求項１０】
特定条件が、所定回数検知したことであることを特徴とする請求項４ないし９のいずれかに記載の冷蔵庫。
【請求項１１】
特定条件が、前回の冷凍室用冷却器除霜モードから次回の冷凍室用冷却器除霜モードまでの間に、所定回数検知したことであることを特徴とする請求項４ないし９のいずれかに記載の冷蔵庫。
【請求項１２】
特定条件が、庫外温度が低温度であることを特徴とする請求項１ないし３のいずれかに記載の冷蔵庫。
【請求項１３】
特定条件が満たされた場合に、冷凍モード中での冷蔵室用ファンの作動又は冷蔵室用冷却器除霜ヒータの作動を、特定条件が満たされた後の冷凍モードにて実行することを特徴とする請求項１ないし１２のいずれかに記載の冷蔵庫。
【請求項１４】
特定条件が満たされた場合に、冷凍モード中での冷蔵室用ファンの作動又は冷蔵室用冷却器除霜ヒータの作動を、特定条件が満たされた後の冷凍室用冷却器除霜モードにて実行することを特徴とする請求項１ないし１２のいずれかに記載の冷蔵庫。
【請求項１５】
特定条件が満たされた場合に、冷凍モード中での冷蔵室用ファンの作動又は冷蔵室用冷却器除霜ヒータの作動を、特定条件が満たされた後の冷凍室用冷却器除霜モード終了後に実行することを特徴とする請求項１ないし１２のいずれかに記載の冷蔵庫。
【請求項１６】
特定条件が満たされた場合に、冷凍モード中での冷蔵室用ファンの作動又は冷蔵室用冷却器除霜ヒータの作動を、冷蔵室用冷却器温センサの検知結果が第１の所定温度以上になったことで停止することを特徴とする請求項１ないし１５のいずれかに記載の冷蔵庫。
【請求項１７】
特定条件が満たされた場合に、冷凍モード中での冷蔵室用ファンの作動又は冷蔵室用冷却器除霜ヒータの作動を、前記冷凍モードが終了したことで停止することを特徴とする請求項１ないし１５のいずれかに記載の冷蔵庫。
【請求項１８】
特定条件が満たされた場合に、冷凍モード中での冷蔵室用ファンの作動又は冷蔵室用冷却器除霜ヒータの作動を、前記冷凍モードが所定時間以上運転されたことで停止することを特徴とする請求項１ないし１５のいずれかに記載の冷蔵庫。
【請求項１９】
特定条件が満たされた場合に、冷凍モード中での冷蔵室用ファンの作動又は冷蔵室用冷却器除霜ヒータの作動を、冷凍モードと冷蔵モードの１回ずつの実行を１サイクルとして、それが第２の所定サイクル数以上繰返されるまで続けることを特徴とする請求項１ないし１８のいずれかに記載の冷蔵庫。
【請求項２０】
特定条件が満たされた場合に、冷凍モード中での冷蔵室用ファンの作動又は冷蔵室用冷却器除霜ヒータの作動を、前記冷蔵室用ファンの作動積算時間又は冷蔵室用冷却器除霜ヒータの作動積算時間が第３の所定時間以上になるまで続けることを特徴とする請求項１ないし１８のいずれかに記載の冷蔵庫。
【請求項２１】
特定条件が満たされた場合に、冷凍モード中での冷蔵室用ファンの作動又は冷蔵室用冷却器除霜ヒータの作動を、冷凍室用冷却器除霜モード後の冷凍モードまで続けることを特徴とする請求項１ないし１８のいずれかに記載の冷蔵庫。
【請求項２２】
特定条件が満たされた場合に、冷凍モード中では冷蔵室用冷却器除霜ヒータを作動させ、冷蔵室用ファンは停止させることを特徴とする請求項２ないし２１のいずれかに記載の冷蔵庫。
【請求項２３】
冷凍室用冷却器の排水を受ける排水樋と、この排水樋を加熱する排水樋ヒータとを具え、特定条件が満たされた場合に、通常よりも高い通電率又は通常よりも高い電圧で排水樋ヒータに通電することを特徴とする請求項１ないし２２のいずれかに記載の冷蔵庫。
【請求項２４】
冷凍室と冷蔵室とを具備すると共に、
前記冷凍室の冷却に供する冷凍室用冷却器と、
前記冷蔵室の冷却に供する冷蔵室用冷却器と、
前記冷凍室用冷却器を加熱する冷凍室用冷却器除霜ヒータと、
前記冷蔵室の空気を前記冷蔵室用冷却器に接触させて循環させる冷蔵室用ファンと、
前記冷蔵室用冷却器の温度を検知する冷蔵室用冷却器温センサと、
前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、庫外温度が低温度である場合には、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする冷蔵庫。
【請求項２５】
冷凍室と冷蔵室とを具備すると共に、
前記冷凍室の冷却に供する冷凍室用冷却器と、
前記冷蔵室の冷却に供する冷蔵室用冷却器と、
前記冷凍室用冷却器を加熱する冷凍室用冷却器除霜ヒータと、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室用冷却器の温度を検知する冷蔵室用冷却器温センサと、
前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、庫外温度が低温度である場合には、前記冷凍モード中に前記冷蔵室用ファンを作動させると共に前記冷蔵室用冷却器除霜ヒータを作動させて前記冷蔵室用冷却器の除霜を行う制御をする制御手段を具備して成ることを特徴とする冷蔵庫。
【請求項２６】
冷蔵室の温度を設定する冷蔵室温設定手段を有し、その設定に応じて冷蔵室の温度が低温度であると判断するしきい値を変更することを特徴とする請求項２４又は２５記載の冷蔵庫。
【発明の詳細な説明】
【技術分野】
【０００１】
本発明は、冷蔵室用冷却器の除霜を行うについての改良をした冷蔵庫に関する。
【背景技術】
【０００２】
従来より、冷蔵庫においては、冷凍室と冷蔵室とが具えられると共に、冷凍室の冷却に供する冷凍室用冷却器と、冷蔵室の冷却に供する冷蔵室用冷却器と、冷凍室用冷却器を加熱する冷凍室用冷却器除霜ヒータと、冷蔵室の空気を冷蔵室用冷却器に接触させて循環させる冷蔵室用ファンと、冷蔵室用冷却器の温度を検知する冷蔵室用冷却器温センサとが具えられ、更に、上記冷凍室用冷却器により冷凍室を冷却する冷凍モードと、冷蔵室用冷却器により冷蔵室を冷却する冷蔵モードと、冷凍室用冷却器除霜ヒータにより冷凍室用冷却器の除霜をする冷凍室用冷却器除霜モードとを有し、そのうちの冷凍モード中に冷蔵室用ファンを作動させて前記冷蔵室用冷却器の除霜を行う制御をする制御手段が具えられたものが供されている（例えば特許文献１参照）。
【特許文献１】特開２０００−８８４３９号公報
【発明の開示】
【発明が解決しようとする課題】
【０００３】
上述のものでは、具体的には、冷凍室用冷却器による冷凍室の冷却運転（冷凍モード）時に、冷蔵室用ファンを作動させて冷蔵室用冷却器の除霜が行われる。すると、冷蔵室用冷却器の温度が上昇することにより、冷蔵室用冷却器温センサの検知温度も上昇し、それが除霜終了温度に達したところで、冷蔵室用ファンを停止させることにより、冷蔵室用冷却器の除霜が終了される。
【０００４】
次いで、冷凍モードを終了して、冷蔵室用冷却器による冷蔵室の冷却運転（冷蔵モード）に移行し、冷蔵モードが終了すれば、冷凍モードに移行すると共に、冷蔵室用ファンを作動させて冷蔵室用冷却器の除霜が行われる。
これを繰返して、要するに、冷凍モード中に冷蔵室用ファンを作動させて冷蔵室用冷却器の除霜が行われ、その除霜の終了が冷蔵室用冷却器温センサの検知結果に基づいて行われるものである。
【０００５】
しかしながら、このものの場合、冷蔵室用冷却器の除霜の終了が冷蔵室用冷却器温センサの検知温度に依存するものであり、冷蔵室の温度が上昇しても冷蔵室用冷却器温センサが除霜の終了が許容される温度（除霜終了温度）を検知しない限り、冷蔵室用冷却器の除霜を続け、冷蔵モードに移行しないため、冷蔵室用冷却器の除霜の終了時点では、冷蔵室の温度が上昇し過ぎる、いわゆる温度過昇の問題を有する。
【０００６】
これに対して、冷蔵室用冷却器の除霜の終了を冷蔵室用冷却器温センサの検知温度に依存せずに行うようにすれば、冷蔵室用冷却器温センサが除霜終了温度を検知しなくても、冷蔵室用冷却器の除霜を終了して冷蔵モードに移行できるため、冷蔵室の温度過昇の問題を解決できる。しかしながら、その場合には、冷蔵室用冷却器の温度が所定の温度（除霜終了温度）まで上昇せずして、冷蔵室用冷却器の除霜が確実には行われない。そして、その結果、冷蔵モードに移行しても、冷蔵室用冷却器には残霜があるため、冷蔵室の冷却が効率良く行われず、冷却性能の低下を来たすと共に、それを補うべく消費電力が増すため、不経済になるという問題を呈する。
【０００７】
本発明は上述の事情に鑑みてなされたものであり、従ってその目的は、冷蔵室の温度過昇の問題を解決しつつ、冷蔵室用冷却器の確実な除霜ができる冷蔵庫を提供するにある。
【課題を解決するための手段】
【０００８】
上記目的を達成するために、本発明の冷蔵庫においては、第１に、冷凍室と冷蔵室とを具備すると共に、前記冷凍室の冷却に供する冷凍室用冷却器と、前記冷蔵室の冷却に供する冷蔵室用冷却器と、前記冷凍室用冷却器を加熱する冷凍室用冷却器除霜ヒータと、前記冷蔵室の空気を前記冷蔵室用冷却器に接触させて循環させる冷蔵室用ファンと、前記冷蔵室用冷却器の温度を検知する冷蔵室用冷却器温センサと、前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、特定条件が満たされた場合には、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする（請求項１の発明）。
【０００９】
本発明の冷蔵庫においては、第２に、冷凍室と冷蔵室とを具備すると共に、前記冷凍室の冷却に供する冷凍室用冷却器と、前記冷蔵室の冷却に供する冷蔵室用冷却器と、前記冷凍室用冷却器を加熱する冷凍室用冷却器除霜ヒータと、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室用冷却器の温度を検知する冷蔵室用冷却器温センサと、前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、特定条件が満たされた場合には、前記冷凍モード中に前記冷蔵室用ファンを作動させると共に前記冷蔵室用冷却器除霜ヒータを作動させて前記冷蔵室用冷却器の除霜を行う制御をする制御手段を具備して成ることを特徴とする（請求項２の発明）。
【００１０】
本発明の冷蔵庫においては、第３に、冷凍室と冷蔵室とを具備すると共に、前記冷凍室の冷却に供する冷凍室用冷却器と、前記冷蔵室の冷却に供する冷蔵室用冷却器と、前記冷凍室用冷却器を加熱する冷凍室用冷却器除霜ヒータと、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室用冷却器の温度を検知する冷蔵室用冷却器温センサと、前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、特定条件が満たされた場合には、前記冷凍モード中に前記冷蔵室用ファンを作動させると共に前記冷蔵室用冷却器除霜ヒータを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする（請求項３の発明）。
【００１１】
本発明の冷蔵庫においては、第４に、冷凍室と冷蔵室とを具備すると共に、前記冷凍室の冷却に供する冷凍室用冷却器と、前記冷蔵室の冷却に供する冷蔵室用冷却器と、前記冷凍室用冷却器を加熱する冷凍室用冷却器除霜ヒータと、前記冷蔵室の空気を前記冷蔵室用冷却器に接触させて循環させる冷蔵室用ファンと、前記冷蔵室用冷却器の温度を検知する冷蔵室用冷却器温センサと、前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果に依存せずに実行し、庫外温度が低温度である場合には、前記冷凍モード中に前記冷蔵室用ファンを作動させて前記冷蔵室用冷却器の除霜を行い、且つ、前記冷凍モードから前記冷蔵モードへの移行を前記冷蔵室用冷却器温センサの検知結果が第１の所定温度以上であるときに実行する制御をする制御手段を具備して成ることを特徴とする（請求項２４の発明）。
【００１２】
本発明の冷蔵庫においては、第５に、冷凍室と冷蔵室とを具備すると共に、前記冷凍室の冷却に供する冷凍室用冷却器と、前記冷蔵室の冷却に供する冷蔵室用冷却器と、
前記冷凍室用冷却器を加熱する冷凍室用冷却器除霜ヒータと、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室用冷却器の温度を検知する冷蔵室用冷却器温センサと、前記冷凍室用冷却器により前記冷凍室を冷却する冷凍モードと、前記冷蔵室用冷却器により前記冷蔵室を冷却する冷蔵モードと、前記冷凍室用冷却器除霜ヒータにより前記冷凍室用冷却器の除霜をする冷凍室用冷却器除霜モードとを有し、通常は、前記冷凍モード中に前記冷蔵室用ファンを作動させて前記冷蔵室用冷却器の除霜を行い、庫外温度が低温度である場合には、前記冷凍モード中に前記冷蔵室用ファンを作動させると共に前記冷蔵室用冷却器除霜ヒータを作動させて前記冷蔵室用冷却器の除霜を行う制御をする制御手段を具備して成ることを特徴とする（請求項２５の発明）。
【発明の効果】
【００１３】
上記第１の手段（請求項１の発明）によれば、通常は、冷凍モード中に冷蔵室用冷却器の除霜を冷蔵室用ファンの作動により行う状況で、冷凍モードから冷蔵モードへの移行を冷蔵室用冷却器温センサの検知結果に依存せずに実行するので、冷蔵室用冷却器温センサが除霜終了温度を検知しなくても、冷蔵室用冷却器の除霜を終了して冷蔵モードに移行でき、冷蔵室の温度過昇の問題を解決できる。
【００１４】
その場合、冷蔵室用冷却器の温度が所定の温度（除霜終了温度）まで上昇せずして、冷蔵室用冷却器の除霜が確実には行われないことが心配されるのに対し、特定条件が満たされた場合には、冷凍モード中に冷蔵室用ファンを作動させて冷蔵室用冷却器の除霜を行い、そして、冷凍モードから冷蔵モードへの移行を冷蔵室用冷却器温センサの検知結果が第１の所定温度以上であるときに実行する制御をするので、冷蔵室用冷却器の確実な除霜ができ、その結果、冷蔵室の冷却が、冷蔵室用冷却器に霜を残さずに効率良く行われ、冷却性能の低下を来たさないようにできると共に、消費電力の節減ができる。
【００１５】
第２の手段（請求項２の発明）によれば、特定条件が満たされた場合には、冷凍モード中に冷蔵室用ファンと冷蔵室用冷却器除霜ヒータとを作動させて冷蔵室用冷却器の除霜を行うので、冷蔵室用冷却器の一層確実な除霜ができ、その結果、冷蔵室の冷却が、冷蔵室用冷却器に霜を一層残さずに効率良く行われ、冷却性能の低下を一段と来たさないようにできると共に、消費電力の一層の節減ができる。
第３の手段（請求項３の発明）によれば、特定条件が満たされた場合の、冷凍モード中における冷蔵室用冷却器の除霜を、冷蔵室用ファンの作動と冷蔵室用冷却器除霜ヒータの作動とで行うこと以外、第１の手段と同様の作用効果が得られる。
【００１６】
第４の手段（請求項２４の発明）によれば、冷蔵室用冷却器の確実な除霜を行うときの条件が庫外温度が低温度である場合であり、そのほかは、第１の手段と同様の作用効果が得られる。
第５の手段（請求項２５の発明）によっても、冷蔵室用冷却器の一層確実な除霜を行うときの条件が庫外温度が低温度である場合であり、そのほかは、第２の手段と同様の作用効果が得られる。
【発明を実施するための最良の形態】
【００１７】
以下、本発明の第１実施例（第１の実施形態）につき、図１ないし図７を参照して説明する。
まず、図５には、冷蔵庫の全体構成を示しており、本体キャビネット１の内部を、上下３つの中間仕切壁２，３，４によって、上より順に冷蔵室５、仕様切替室６、野菜室７、及び冷凍室８に分けている。
冷蔵室５には、棚９を複数段設けると共に、それらの下方に容器１０を設けており、仕様切替室６には容器１１を設けている。そのほか、野菜室７には容器１２，１３を上下に設けており、冷凍室８にも容器１４，１５を上下に設けている。
【００１８】
仕様切替室６から野菜室７にかけての奥部には、前後２つの隔壁１６，１７によって２つの冷却器室１８，１９を設けており、そのうち前側の冷却器室１８に冷蔵室用冷却器２０と冷蔵室用ファン２１とを配設し、後側の冷却器室１９に冷凍室用冷却器２２と冷凍室用ファン２３とを配設している。
冷蔵室用冷却器２０は冷蔵室５と冷蔵仕様時の仕様切替室６及び野菜室７の冷却に供するもので、冷蔵室用ファン２１は冷蔵室５と冷蔵仕様時の仕様切替室６及び野菜室７の空気を冷蔵室用冷却器２０に接触させて図５に矢印で示すごとく循環させるようになっている。
【００１９】
一方、冷凍室用冷却器２２は冷凍室８と冷凍仕様時の仕様切替室６の冷却に供するもので、冷凍室用ファン２３は冷凍室８と冷凍仕様時の仕様切替室６の空気を冷凍室用冷却器２２に接触させて同じく図５に矢印で示すごとく循環させるようになっている。
又、冷蔵室５の空気循環経路中、冷蔵室５の入口部分には、冷蔵室５の温度を検知する冷蔵室温センサ２４を配設しており、冷凍室８の空気循環経路中、冷凍室８の入口部分には、冷凍室８の温度を検知する冷凍室温センサ２５を配設している。
【００２０】
冷蔵室用冷却器２０には、それを加熱する例えばアルミ箔付きヒータから成る冷蔵室用冷却器除霜ヒータ２６を付設しており、冷凍室用冷却器２２には、それを加熱する例えばパイプヒータから成る冷凍室用冷却器除霜ヒータ２７を付設している。又、冷蔵室用冷却器２０には、それの温度を検知する冷蔵室用冷却器温センサ２８を付設しており、冷凍室用冷却器２２には、それの温度を検知する冷凍室用冷却器温センサ２９を付設している。
更に、冷蔵室用冷却器２０の下方には、冷蔵室用冷却器２０から落ちる霜解水を受ける排水樋３０を配設しており、又、冷凍室用冷却器２２の下方には、冷凍室用冷却器２２から落ちる霜解水を受ける排水樋３１を配設していて、これらの排水樋３０，３１の各下面には、それらを加熱する排水樋ヒータ３２，３３を配設している。
【００２１】
そして又、排水樋３０，３１からは、本体キャビネット１の背下部に形成した機械室３４へそれぞれ排水ホース３５，３６を配設している。機械室３４には圧縮機３７と共に蒸発皿３８を配設しており、上記排水ホース３５，３６は、排水樋３０，３１でそれぞれ受けた霜解水をその蒸発皿３８に導くようになっている。
このほか、本体キャビネット１には、冷蔵室５、仕様切替室６、野菜室７、及び冷凍室８のそれぞれ前面の開口部を開閉する扉３９，４０，４１，４２を枢設しており、そのうちの冷蔵室５の開口部を開閉する扉３９には、裏側にポケット４３を複数段設けている。
【００２２】
図６には、前記圧縮機３７を主体とする冷凍サイクル４４を示しており、この冷凍サイクル４４においては、圧縮機３７の吐出部３７ａから凝縮器４５を介して弁、特には冷媒の流路切替えをする三方弁４６の入口部４６ａを接続している。そして、三方弁４６の一方の出口部４６ｂを、冷凍用の絞り器である第１のキャピラリチューブ４７、冷凍室用冷却器２２、及びアキュムレータ４８を順に介し、三方弁４６の他方の出口部４６ｃを、冷蔵用の絞り器である第２のキャピラリチューブ４９、及び冷蔵室用冷却器２０を順に介して、ともに圧縮機３７の吸込部３７ｂに接続している。なお、前記蒸発皿３８の底部下面には凝縮器４５の一部を配設していて、蒸発皿３８に前述のごとく導かれた霜解水をその凝縮器４５の一部の熱で蒸発させるようにしている。
【００２３】
図７には、上記冷蔵庫の作動全般を制御する制御手段である制御装置５０を示している。この制御装置５０は例えばマイクロコンピュータから成るもので、図示しない操作パネルが有した各種操作スイッチから成る操作入力部５１より各種操作信号が入力されると共に、前記冷蔵室温センサ２４、冷凍室温センサ２５、冷蔵室用冷却器温センサ２８、及び冷凍室用冷却器温センサ２９から、それぞれ温度検知信号が入力されるようになっている。
【００２４】
そして、制御装置５０は、それらの入力並びにあらかじめ記憶された制御プログラムに基づいて、前記冷蔵室用ファン２１と、冷凍室用ファン２３、冷蔵室用冷却器除霜ヒータ２６、冷凍室用冷却器除霜ヒータ２７、冷蔵室用冷却器排水樋ヒータ３２、冷凍室用冷却器排水樋ヒータ３３、圧縮機３７、三方弁４６を、駆動回路５２を介して制御するようになっている。
【００２５】
次に、上記構成のものの作用を述べる。
図１ないし図３は、制御装置５０の制御内容を表している。そのうち、まず図１に示すように、制御装置５０の作動が開始（スタート）されると、「Ｆ冷却」が行われる（ステップＡ１）。この「Ｆ冷却」は、冷凍室８と冷凍仕様時の仕様切替室６を冷却する運転、すなわち冷凍モードで、具体的には、圧縮機３７を駆動した状態で、三方弁４６の一方の出口部４６ｂを開放させる（他方の出口部４６ｃを閉塞させる）と共に、冷凍室用ファン２３を作動させて行われる。
【００２６】
これにより、冷凍サイクル４４では、圧縮機３７で圧縮されて凝縮器４５で凝縮された冷媒が第１のキャピラリチューブ４７を通り、冷凍室用冷却器２２で蒸発されてアキュムレータ４８を経、圧縮機３７に帰還するサイクルを繰返し、それによって、冷凍室用冷却器２２が低温化する。又、このとき、冷凍室用ファン２３は、冷凍室８と冷凍仕様時の仕様切替室６の空気を冷凍室用冷却器２２に接触させて循環させるので、冷凍室８と冷凍仕様時の仕様切替室６が冷却される。
【００２７】
そして又、このときには「Ｒファン作動」をする（ステップＡ２）。「Ｒファン」は冷蔵室用ファン２１であり、それの作動によって、冷蔵室５と冷蔵仕様時の仕様切替室６及び野菜室７の空気が、冷蔵室用冷却器２０に接触しつつ循環される。
次いで、Ｆ冷却の積算時間が所定時間以上になったか否かの判断をする（ステップＡ３）。このときの所定時間は、冷凍室用冷却器２２の除霜をすべき積算時間であって、例えば１０時間である。
【００２８】
上記ステップＡ３で、所定時間以上になっていない（ＮＯ）と判断されれば、「Ｒエバ温度」が所定温度以上になったか否かの判断をする（ステップＡ４）。「Ｒエバ温度」は冷蔵室用冷却器温センサ２８で検知される冷蔵室用冷却器２０の温度であり、「所定温度」は冷蔵室用冷却器２０の除霜の終了が許容される温度（除霜終了温度）であって、この場合、例えば３〔℃〕である。
【００２９】
上記ステップＡ４で、「Ｒエバ温度」が所定温度以上になった（ＹＥＳ：冷蔵室用冷却器２０の温度が除霜終了温度に達した）と判断されれば、次に、「Ｒファン」（冷蔵室用ファン２１）を停止させる（ステップＡ５）。これにより、冷蔵室５と冷蔵仕様時の仕様切替室６及び野菜室７の空気の、冷蔵室用冷却器２０に接触しながらの循環が停止される。
【００３０】
その後、「Ｒ温度」が所定温度以上になったか否か、又は「Ｆ温度」が所定温度以下になったか否か、もしくは「Ｆ冷却時間」が所定時間以上になったか否かの判断をする（ステップＡ６）。「Ｒ温度」は冷蔵室温センサ２４で検知される冷蔵室５の温度であり、これについての所定温度は冷蔵室５の冷却を要求される温度であって、例えば３〔℃〕である。又、「Ｆ温度」は冷凍室温センサ２５で検知される冷凍室８の温度であり、これについての所定温度は冷凍室８の冷却終了温度であって、例えば−２２〔℃〕である。更に、「Ｆ冷却時間」は前記冷凍モードの実行時間であり、これについての所定時間は後述する「Ｒ冷却」に移るべき時間であって、例えば６０分である。
【００３１】
上記ステップＡ６で、いずれでもない（ＮＯ）と判断されれば、ステップＡ６を繰返し、いずれかである（ＹＥＳ）と判断されれば、「Ｆ冷却」を終了する（ステップＡ７）。この場合、「Ｆ冷却」の終了は、冷凍室用ファン２３を停止させることである。
次いで、「Ｒ冷却」が行われる（ステップＡ８）。「Ｒ冷却」は、冷蔵室５と冷凍仕様時の仕様切替室６及び野菜室７を冷却する運転、すなわち冷蔵モードで、具体的には、圧縮機３７を駆動した状態で、三方弁４６の他方の出口部４６ｃを開放させ（一方の出口部４６ｂを閉塞させ）ると共に、冷蔵室用ファン２１を作動させて行われる。
【００３２】
これにより、冷凍サイクル４４では、圧縮機３７で圧縮されて凝縮器４５で凝縮された冷媒が第２のキャピラリチューブ４９を通り、冷蔵室用冷却器２０で蒸発されて圧縮機３７に帰還するサイクルを繰返し、それによって、冷蔵室用冷却器２０が低温化する。又、このとき、冷蔵室用ファン２１は、冷蔵室５と冷凍仕様時の仕様切替室６及び野菜室７の空気を冷蔵室用冷却器２０に接触させて循環させるので、冷蔵室５と冷凍仕様時の仕様切替室６及び野菜室７が冷却される。
【００３３】
この後、「Ｒ温度」が所定温度以下になったか否か、又は「Ｆ温度」が所定温度以上になったか否か、もしくは「Ｒ冷却時間」が所定時間以上になったか否かの判断をする（ステップＡ９）。この場合、「Ｒ温度」についての所定温度は、冷蔵室５の冷却終了が許容される温度であって、例えば１〔℃〕である。又、「Ｆ温度」についての所定温度は、冷凍室８の冷却を開始すべき温度であって、例えば−１８〔℃〕である。更に、「Ｒ冷却時間」についての所定時間は、冷蔵室５の冷却を終了すべき時間であって、例えば４０分である。
【００３４】
上記ステップＡ９で、いずれでもない（ＮＯ）と判断されれば、ステップＡ９を繰返し、いずれかである（ＹＥＳ）と判断されれば、「Ｒ冷却」を終了して（ステップＡ１０）、ステップＡ１に戻る。
【００３５】
戻ったステップＡ１の次のステップＡ２における「Ｒファン作動」では、冷蔵室５と冷蔵仕様時の仕様切替室６及び野菜室７の空気が、冷蔵室用冷却器２０に接触しつつ循環されることにより、冷蔵室用冷却器２０の除霜が行われる。又、このときに、冷蔵室５と冷凍仕様時の仕様切替室６及び野菜室７には、冷蔵室用冷却器２０の除霜で適度な湿気を帯びた空気が供給されることになるので、適度な潤いが与えられる。
以後、上記ステップＡ１〜Ａ１０を繰返すことにより、冷凍モード中に冷蔵室用ファン２１を作動させて冷蔵室用冷却器２０の除霜をすることを行う。
【００３６】
これに対し、前記ステップＡ４で、「Ｒエバ温度」が所定温度以上になってない（ＮＯ：冷蔵室用冷却器２０の温度が除霜終了温度に達していない）と判断されれば、「Ｒ温度」が所定温度以上になったか否か、又は「Ｆ冷却時間」が所定時間以上になったか否かの判断をする（ステップＡ１１）。この場合、「Ｒ温度」についての所定温度は、冷蔵室５の冷却を要求される温度であって、例えば３〔℃〕であり、「Ｆ冷却時間」についての所定時間は、冷蔵室５の冷却（Ｒ冷却）に移るべき時間であって、例えば６０分である。
【００３７】
上記ステップＡ１１で、いずれかである（ＹＥＳ）と判断されれば、冷蔵室用冷却器２０が除霜終了温度に達しなかったことのカウント（特定カウント）をして（ステップＡ１２）、ステップＡ７に進み、すなわち、Ｆ冷却を終了してＲ冷却へと移行する。従って、この場合には、冷凍モードから冷蔵モードへの移行を冷蔵室用冷却器温センサ２８の検知結果に依存せずに実行する。
上記ステップ１１で、いずれでもない（ＮＯ）と判断されれば、ステップＡ３に戻る。
そして、ステップＡ３で、所定時間以上になった（ＹＥＳ）と判断されれば、「除霜モード」に移行する。
【００３８】
「除霜モード」では、図２に示すように、最初、プリクールを実行する（ステップＡ１０１）。このプリクールは、次に実行する冷凍室用冷却器２２の除霜をするときに冷凍室８の温度が通常の冷凍温度（例えば−２２〔℃〕）より上がらないように、冷凍室８の温度を通常の冷凍温度より更に低く（例えば−２４〔℃〕に）するもので、圧縮機３７を通常より高速で駆動することで行われる。
【００３９】
この後、プリクールを終了し（ステップＡ１０２）、その後に、前記ステップＡ１２でカウントした回数が所定のＮ回（例えば３回）以上であるか否かの判断をする（ステップＡ１０３）。このステップＡ１０３で、Ｎ回以上ではない（ＮＯ）と判断されれば、ＦエバヒータをＯＮさせる（ステップＡ１０４）。このＦエバヒータのＯＮは、冷凍室用冷却器除霜ヒータ２７を作動（発熱）させることであって、それにより冷凍室用冷却器２２の除霜（冷凍室用冷却器除霜モード）を行う。
【００４０】
次いで、冷凍室用冷却器温センサ２９で検知される冷凍室用冷却器２２の温度（Ｆエバ温度）が所定温度以上になったか否かの判断をし（ステップＡ１０５）、所定温度以上になっていない（ＮＯ）と判断されれば、ステップＡ１０５を繰り返し、所定温度以上になった（ＹＥＳ）と判断されれば、ＦエバヒータをＯＦＦ（冷凍室用冷却器除霜ヒータ２７の作動を停止）させて（ステップＡ１０６）、図１に示したスタート後の前記ステップＡ１に戻る。
【００４１】
一方、上記ステップＡ１０３で、Ｎ回以上である（ＹＥＳ）と判断されれば、ＦエバヒータのＯＮ（ステップＡ１０７）に続いて、ＲエバヒータをＯＮさせる（ステップＡ１０８）。ＲエバヒータのＯＮは、冷蔵室用冷却器除霜ヒータ２６を作動（発熱）させることであって、それにより冷蔵室用冷却器２０の除霜（冷蔵室用冷却器除霜モード）を行う。
この後、ステップＡ１０５同様のステップＡ１０９、ステップＡ１０６同様のステップＡ１１０を経て、「特定モード」に移行する。
【００４２】
「特定モード」は図３に示すとおりであり、最初に前記ステップＡ１２でカウントした回数のクリアをし（ステップＡ２０１）、次いで、前記ステップＡ１〜Ａ７同様のステップＡ２０２〜２０８を経る。すなわち、冷凍モードを実行しつつ、冷蔵室用ファン２１を作動させて冷蔵室用冷却器２０の除霜をする。又、このときには、冷蔵室用冷却器除霜ヒータ２６の作動を継続しており、従って、冷蔵室用冷却器２０の除霜は冷蔵室用ファン２１の作動と冷蔵室用冷却器除霜ヒータ２６の作動とで強力に行われる。
【００４３】
この後、Ｒエバヒータ（冷蔵室用冷却器除霜ヒータ２６）の作動を停止させ（ステップＡ２０９）、「Ｒ冷却」（冷蔵室５と冷凍仕様時の仕様切替室６及び野菜室７を冷却する運転）に移行する（ステップＡ２１０）。この場合、ステップＡ２０７では、「Ｒエバ温度」が所定温度以上になった（ＹＥＳ：冷蔵室用冷却器２０の温度が除霜終了温度に達した）と判断されることを条件としており、従って、この場合の冷凍モード（Ｆ冷却）から冷蔵モード（Ｒ冷却）への移行は、冷蔵室用冷却器温センサ２８の検知結果が第１の所定温度である除霜終了温度以上であったときに実行される。
その後、前記ステップＡ９、Ａ１０同様のステップＡ２１１、Ａ２１２を経て、ステップＡ２０１に戻る。
【００４４】
なお、ステップＡ２０５で、「Ｒエバ温度」が所定温度以上になっていない（ＮＯ）と判断されれば、ステップＡ２０４に戻り、このステップＡ２０４で、Ｆ冷却の積算時間が所定時間以上になった（ＹＥＳ）と判断されれば、先の図２に示した「除霜モード」に移行する。
【００４５】
図４は、以上の動作中、通常の運転でのＮ回（３回）の特定カウントに基づき、除霜モードへ、そして特定モードへと移行する動作を、各部の温度の変化と、各部のタイムチャートとで表している。
【００４６】
このように本構成のものでは、通常は、冷凍モード中に冷蔵室用冷却器２０の除霜を冷蔵室用ファン２１の作動により行う状況（ステップＡ１、Ａ２）で、冷凍モードから冷蔵モードへの移行を冷蔵室用冷却器温センサ２８の検知結果に依存せずに実行する（ステップＡ１１、Ａ１２、Ａ７、Ａ８）。よって、冷蔵室用冷却器温センサ２８が除霜終了温度を検知しなくても、冷蔵室用冷却器２０の除霜を終了して冷蔵モードに移行でき、冷蔵室の温度過昇の問題を解決できる。
【００４７】
その場合、冷蔵室用冷却器２０の温度が所定の温度（除霜終了温度）まで上昇せずして、冷蔵室用冷却器２０の除霜が確実には行われないことが心配されるのに対し、特定条件が満たされた場合（ステップＡ１０３でＹＥＳ）には、特定モードで、冷凍モード中に冷蔵室用ファン２１を作動させて冷蔵室用冷却器２０の除霜を行い（ステップＡ２０２、Ａ２０３）、そして、冷凍モードから冷蔵モードへの移行（ステップＡ２０８〜Ａ２１０）を冷蔵室用冷却器温センサ２８の検知結果が第１の所定温度（除霜終了温度）以上であるとき（ステップＡ２０５でＹＥＳ）に実行するので、冷蔵室用冷却器２０の確実な除霜ができ、その結果、冷蔵室５の冷却が、冷蔵室用冷却器２０に霜を残さずに効率良く行われ、冷却性能の低下を来たさないようにできると共に、消費電力の節減ができる。
【００４８】
又、本構成のものの場合、特定条件が満たされた場合（ステップＡ１０３でＹＥＳ）には、特定モードで、冷凍モード中に冷蔵室用ファン２１と冷蔵室用冷却器除霜ヒータ２６とを作動させて冷蔵室用冷却器２０の除霜を行うので、冷蔵室用冷却器２０の一層確実な除霜ができ、その結果、冷蔵室５の冷却が、冷蔵室用冷却器２０に霜を一層残さずに効率良く行われ、冷却性能の低下を一段と来たさないようにできると共に、消費電力の一層の節減ができる。
【００４９】
そして、本構成のものの場合、上記特定条件を、冷凍モード中に冷蔵室用冷却器温センサ２８の検知結果が第１の所定温度（除霜終了温度）以上にならなかったこと（ステップＡ４でＮＯ）としている。これにより、冷蔵室用冷却器温センサ２８の除霜時における実際の検知温度に応じて、特定モードにおける冷蔵室用冷却器２０の除霜や冷凍モードから冷蔵モードへの移行ができるので、実際に必要な条件でのみ、上述の効果を得ることができる。
【００５０】
又、その場合、特定条件を、所定回数検知したこととしており（ステップＡ１０３でＹＥＳ）、これによって、イレギュラーで特定カウントをしてしまうのも含んで、実際に、より必要な条件でのみ、上述の効果を得ることができる。
更に、その場合、特定条件は、前回の冷凍室用冷却器除霜モードから次回の冷凍室用冷却器除霜モードまでの間に、所定回数検知したこととしており、これによっても、実際に、より必要な条件でのみ、上述の効果を得ることができる。
【００５１】
加えて、特定条件が満たされた場合に、冷凍モード中での冷蔵室用冷却器除霜ヒータ２６の作動を、特定条件が満たされた後の冷凍室用冷却器除霜モードにて実行するようにしている（ステップＡ１０８）。これにより、冷蔵室用冷却器２０の除霜が適切な時期にできる。この場合、冷蔵室用冷却器除霜ヒータ２６の作動をそのようにするのではなく、冷蔵室用ファン２１の作動をそのようにしても良く、あるいはその両者をそのようにしても良い。
【００５２】
又、特定条件が満たされた場合に、冷凍モード中での冷蔵室用冷却器除霜ヒータ２６の作動を、冷凍モードが終了したことで停止するようにしており（ステップＡ２０９）、これによって、冷蔵室用冷却器２０の除霜が適切な長さでできる。この場合も、冷蔵室用冷却器除霜ヒータ２６の作動をそのようにするのではなく、冷蔵室用ファン２１の作動をそのようにしても良く、あるいはその両者をそのようにしても良い。
【００５３】
又、特定条件が満たされた場合、冷蔵室用冷却器除霜ヒータ２６の作動を、冷凍室用冷却器除霜モード後の冷凍モードまで続ける（Ａ２０９）ようにしており、これによっても、冷蔵室用冷却器２０の一層確実な除霜ができる。この場合も、冷蔵室用冷却器除霜ヒータ２６の作動をそのようにするのではなく、冷蔵室用ファン２１の作動をそのようにしても良く、あるいはその両者をそのようにしても良い。
なお、この冷凍モード中での冷蔵室用冷却器除霜ヒータ２６の作動は、例えば３０〔分〕等の制限時間までとしても良いし、又、次回の冷凍室用冷却器除霜モードまでに限られず複数サイクルにわたって行うようにしても良い。
【００５４】
以上に対して、図８ないし図２１は本発明の第２ないし第６実施例（第２ないし第６の実施形態）を示すもので、それぞれ、第１実施例と同一の部分には同一の符号を付して説明を省略し、異なる部分についてのみ述べる。
【００５５】
［第２実施例］
図８ないし図１１に示す第２実施例においては、第１実施例に対して、特定条件、冷蔵室用冷却器除霜ヒータ２６の作動タイミング、停止タイミングを変更している。
具体的には、まず図８に示すように、「Ｆ冷却」を実行した後の「Ｒファン作動」を実行するとき、同時に「Ｆ冷却」（冷凍モード）と「Ｒ冷却」（冷蔵モード）の１回ずつの実行を１サイクルとして、その回数をカウントする（ステップＢ１）。
【００５６】
そして、図９に示すように、除霜モードにおいては、ステップＡ１０３で、ステップＡ１２でカウントした回数が所定のＮ回以上ではない（ＮＯ）と判断されれば、ステップＢ１でカウントしたサイクル回数が所定のＮ´回（例えば２０回）以上であったか否かの判断をし（ステップＢ１０１）、このステップＢ１０１で、Ｎ´回以上ではない（ＮＯ）と判断されれば、ステップＡ１０４に進む。
これに対して、ステップＢ１０１で、Ｎ´回以上であると判断されれば、ステップＡ１０７に進む。又、この場合、ステップＡ１０７の後には前記ステップＡ１０８を経ずにステップＡ１０９に進む。
【００５７】
この後、図１０に示すように、「特定モード」において、「Ｆ冷却」をする折り、同時にＲエバヒータ（冷蔵室用冷却器除霜ヒータ２６）の通電（作動）時間のカウントをし、併せてＦ冷却時間の積算を行う（ステップＢ２０１）。その後、「Ｒファン作動」と併せて、Ｒエバヒータを作動させる（ステップＢ２０２）。
この後、ステップＡ２０５で、「Ｒエバ温度」が所定温度以上になっていない（ＮＯ）と判断されれば、ステップＡ２０５を繰返し、なった（ＹＥＳ）と判断されれば、ステップＡ２０６を経た後に、ステップＢ２０１で積算したＦ冷却の時間が所定時間（例えば１時間）以上になったか否かの判断をする（ステップＢ２０３）。
【００５８】
そして、ステップＢ２０３で、なった（ＹＥＳ）と判断されれば、Ｒエバヒータの作動を停止させ（ステップＢ２０４）、その後に、「Ｒ温度」が所定温度以上になったか否かの判断をして（ステップＢ２０５）、なった（ＹＥＳ）と判断されれば、図８に示した通常モード、中でもステップＡ７に戻る。
【００５９】
これに対して、ステップＢ２０３で、なっていない（ＮＯ）と判断されれば、ステップＡ２０７に進み、このステップＡ２０７で、いずれかである（ＹＥＳ）と判断されれば、ステップＡ２０８に進む。一方、ステップＡ２０７で、いずれでもない（ＮＯ）と判断されれば、Ｆ冷却時間が所定時間（例えば３０〔分〕）以上となったか否かの判断をする（ステップＢ２０６）。
【００６０】
上記ステップＢ２０６で、なっていない（ＮＯ）と判断されれば、ステップＡ２０７に戻るが、なった（ＹＥＳ）と判断されれば、Ｒエバヒータの作動を停止させ（ステップＢ２０７）、その後に、ステップＡ２０７同様のステップＢ２０８に進み、このステップＢ２０８で、いずれかである（ＹＥＳ）と判断されれば、ステップＡ２１０に進む。
図１１は、以上の動作を、先の図１と同様に表しており、Ｒエバヒータの作動タイミングと停止タイミングが図１と異なっている。
【００６１】
このように本実施例においては、特定条件を、冷凍モードと冷蔵モードの１回ずつの実行を１サイクルとして、それが第１の所定サイクル数（例えば２０回）以上繰返されたこと（ステップＢ１、Ｂ１０１）としている。これは、冷凍モードと冷蔵モードのサイクルが多く繰返されるのに伴い、冷蔵室用冷却器２０の着霜量が徐々に多くなるため、冷蔵室用冷却器２０の温度に関係なく、定期的に冷蔵室用冷却器２０の除霜を行うことで、継続的な冷却不良を抑制しようというものである。この場合、冷蔵室用冷却器除霜ヒータ２６の作動を冷凍室用冷却器２２の除霜を行った後に行っているが、それに限られず、第１実施例同様に冷蔵室用冷却器除霜ヒータ２６の作動を冷凍室用冷却器２２の除霜中に行うようにしても良い。
【００６２】
又、特定条件が満たされた場合には、冷凍モード中での冷蔵室用ファン２１の作動と冷蔵室用冷却器除霜ヒータ２６の作動を、特定条件が満たされた後の冷凍室用冷却器除霜モード終了後に実行するようにしている（ステップＢ２０２）。これにより、冷凍室用冷却器２２の除霜を適切なタイミングで行うことができる。この場合、冷蔵室用冷却器除霜ヒータ２６の作動と冷蔵室用ファン２１の作動の両方をそのようにするのではなく、そのいずれか一方のみをそのようにしても良い。
【００６３】
又、特定条件が満たされた場合には、冷蔵室用冷却器除霜ヒータ２６の作動を、冷凍モードが所定時間以上運転されたことで停止するようにしている（ステップＢ２０６、Ｂ２０７）。それにより、冷蔵室用冷却器２０の除霜を適切な長さで行うことができる。この場合も、冷蔵室用冷却器除霜ヒータ２６の作動をそのようにするのではなく、冷蔵室用ファン２１の作動をそのようにしても良く、あるいはその両者をそのようにしても良い。
【００６４】
又、特定条件が満たされた場合の、上記冷蔵室用冷却器除霜ヒータ２６の作動及び冷蔵室用ファン２１の作動は、ステップＢ２０１で冷蔵室用冷却器除霜ヒータ２６の通電時間のカウントをしているので、それによって判断するようにしても良いし、これは第１実施例でもそのようにしても良い。
【００６５】
更に、特定条件が満たされた場合の、冷蔵室用冷却器除霜ヒータ２６の作動は、前記冷凍モードと冷蔵モードの１回目のサイクルや数回目のサイクルで実行するようにしても良いが、ここでは、冷凍モード中の積算時間が第３の所定時間（例えば１時間）以上になるまで続けるようにしており（ステップＢ２０３、Ｂ２０４）、それは又、冷凍モード中、同時に冷蔵室用ファン２１の作動又は冷蔵室用冷却器除霜ヒータ２６の作動を行うようにしていることにより、それらの積算時間が所定時間以上になるまで続けるようにしていることであって、それにより、冷蔵室用冷却器２０の除霜を適切な長さで行うことができる。従って、この場合には、それ以降のサイクルにおいては、冷蔵室用冷却器除霜ヒータ２６の作動を実行しないようにしても良い。更に、これらも、第１実施例でもそのようにしても良い。加えて、この場合、ステップＡ１２は省略しても良い。
【００６６】
［第３実施例］
図１２ないし図１５に示す第３実施例においても、第１実施例に対して、特定条件、冷蔵室用冷却器除霜ヒータ２６の作動タイミング、停止タイミングを変更している。
具体的には、まず図１２に示すように、「Ｆ冷却」を実行した後の「Ｒファン作動」を実行するとき、同時にＲエバ（冷蔵室用冷却器２０）の温度上昇時間をカウントする（ステップＣ１）。
【００６７】
そして、ステップＡ４で、冷蔵室用冷却器温センサ２８で検知される「Ｒエバ温度」が所定温度（除霜終了温度）以上になった（ＹＥＳ）と判断されれば、Ｒファンを停止すると共に、Ｒエバの温度上昇時間のカウントを停止する（ステップＣ２）。その後、それまでカウントしたＲエバの温度上昇時間が所定時間（例えば３０〔分〕）以上であるか否かの判断をし（ステップＣ３）、このステップＣ３で、所定時間以上である（ＹＥＳ）と判断されれば、Ｒエバの温度上昇時間が所定時間以上であったことのカウント（特定カウント）をして（ステップＣ４）、ステップＡ６に進む。又、この場合、ステップＣ３で、所定時間以上ではない（ＮＯ）と判断されれば、直接ステップＡ６に進む。
【００６８】
図１３に示す除霜モードでは、この場合、ステップＡ１２でカウントした回数だけでなく、上記ステップＣ４でカウントした回数が所定のＮ´´回（例えば３回）以上であるか否かの判断をする（ステップＣ１０３）。このステップＡ１０３で、Ｎ´´回以上ではない（ＮＯ）と判断された場合は、その後、Ｆエバ除霜ヒータの作動、Ｆエバ温度の判断、そしてＦエバ除霜ヒータの作動停止をして（Ａ１０４〜１０６）、図１２に示した通常モードのステップＡ１に戻り、Ｎ´´回以上である（ＹＥＳ）と判断された場合は、その後、Ｆエバ除霜ヒータとＲエバ除霜ヒータの作動、Ｆエバ温度の判断、そしてＦエバ除霜ヒータの作動停止をして（Ａ１０７〜１１０）、特定モードへ進むことは、第１実施例同様である。従って、この場合は、Ｒエバの温度上昇時間が所定時間以上であったことがＮ´´回カウントされれば、Ｒエバ除霜ヒータを作動させるようになっているのである。
【００６９】
図１４に示す特定モードでは、「Ｆ冷却」をする折り、同時に「Ｆ冷却」（冷凍モード）と「Ｒ冷却」（冷蔵モード）の１回ずつの実行を１サイクルとしたときの、その回数をカウントする（ステップＣ２０１）。その後、「Ｒファン作動」と併せて、Ｒエバ（冷蔵室用冷却器２０）の温度上昇時間をカウントする（ステップＣ２０２）。
【００７０】
この後、ステップＡ２０５で、「Ｒエバ温度」が所定温度以上になっていない（ＮＯ）と判断されれば、ステップＡ２０５を繰返し、なった（ＹＥＳ）と判断されて、ステップＡ２０６〜Ａ２０９を経た後に、ステップＣ２０１でカウントした回数が所定のＮ´´´回（例えば２回）以上であるか否かの判断をする（ステップＣ２０３）。このステップＣ２０３で、Ｎ´´´回以上はない（ＮＯ）と判断された場合は、その後、Ａ２１０〜Ａ２１２を経て、ＲエバヒータをＯＮさせ（ステップＣ２０４）、ステップＡ２０１に戻る。
【００７１】
それに対して、ステップＣ２０３で、Ｎ´´´回以上である（ＹＥＳ）と判断された場合は、その後、図１２に示した通常モード、中でもステップＡ８に戻る。
図１５は、以上の動作を、先の図１と同様に表しており、通常の運転での特定カウントの内容と、特定モードでのサイクルカウントに基づくＲエバヒータの作動タイミングと停止タイミングが図１と異なっている。
【００７２】
このように本実施例においては、特定条件を、冷凍モード中に冷蔵室用冷却器温センサ２８の検知結果が第１の所定温度（除霜終了温度）以上になるまでに第１の所定時間（例えば３０〔分〕）以上を要したこととしている（ステップＣ３、Ｃ１０３）。これは、除霜中の冷蔵室用冷却器２０の温度上昇に多くの時間がかかるようであれば、冷蔵室用冷却器２０の着霜量が多いと判断できるからであり、その条件で特定カウントを行うことにより、実際に、より必要な条件でのみ、冷蔵室用冷却器２０の強制除霜ができる。この場合、冷凍モード中の冷蔵室用冷却器温センサ２８の検知結果が第１の所定温度（除霜終了温度）以上にならなかった時間をカウントするようにしても良い。
【００７３】
又、冷凍室用冷却器２２の除霜を終了した後の冷凍モードのみ、冷蔵室用冷却器温センサ２８の検知結果が第１の所定温度以上になるまでに第１の所定時間以上要したか否かを判断しても良い。これは、冷凍室用冷却器２２の除霜復帰直後であれば、冷蔵室用冷却器２０は最も除霜されている状態なので、そのときに冷蔵室用冷却器２０の温度上昇が鈍ければ、正確に着霜量が多いと判断できるからである。
【００７４】
加えて、この場合、特定条件が満たされた場合には、冷凍モード中での冷蔵室用冷却器除霜ヒータ２６の作動を、冷凍モードと冷蔵モードの１回ずつの実行を１サイクルとして、それが第２の所定サイクル数以上繰返されるまで続けるようにしている（ステップＣ２０３）。これによって、冷蔵室用冷却器２０の除霜が適切な長さでできる。この場合も、冷蔵室用冷却器除霜ヒータ２６の作動をそのようにするのではなく、冷蔵室用ファン２１の作動をそのようにしても良く、あるいはその両者をそのようにしても良い。又、ステップＡ１１は省略しても良い。
【００７５】
［第４実施例］
図１６及び図１７に示す第４実施例においても、第１実施例に対して、特定条件、冷蔵室用冷却器除霜ヒータ２６の作動タイミング、停止タイミングを変更している。
【００７６】
具体的には、まず図１６に示すように、「Ｆ冷却」を実行した（ステップＡ１）後、特定カウントの回数が所定のＮ´´´´回（例えば３回）であるか否かの判断をする（ステップＤ１）。このとき、所定のＮ´´´´回ではない（ＮＯ）と判断されれば、ステップＡ２（Ｒファン作動）を経て、ステップＡ４へと進むが、所定のＮ´´´´回である（ＹＥＳ）と判断されれば、Ｒファンを作動させると共に、Ｒエバヒータを作動させた（ステップＤ２）後、ステップＤ１で判断したカウント数のクリアをして（ステップＤ３）、ステップＡ４へと進む。
【００７７】
ステップＡ４で、「Ｒエバ温度」が所定温度（除霜終了温度）以上になった（ＹＥＳ）と判断されれば、Ｒファン及びＲエバヒータを停止させた（ステップＤ４）後、ステップＡ６を経て、ステップＡ７に進む。
【００７８】
一方、ステップＡ４で、「Ｒエバ温度」が所定温度（除霜終了温度）以上になっていない（ＮＯ）と判断されれば、ステップＡ１１に進み、このステップＡ１１で、いずれかである（ＹＥＳ）と判断されれば、ステップＡ１２（特定カウント：冷蔵室用冷却器２０が除霜終了温度に達しなかったことのカウント）を経て、Ｒエバヒータを停止させた（ステップＤ５）後、ステップＡ７に進む。
図１７は、以上の動作を、先の図１と同様に表しており、通常の運転での特定カウントに基づくＲエバヒータの作動タイミングと停止タイミングが図１と異なっている。
【００７９】
このように本実施例においては、特定条件が満たされた場合に、冷凍モード中での冷蔵室用冷却器除霜ヒータ２６の作動を、特定条件が満たされた後の冷凍モードにて実行するようにしている（ステップＤ２）。これにより、冷蔵室用冷却器除霜ヒータ２６の作動を迅速に実行できるので、冷蔵室用冷却器２０の着霜による冷蔵室５の冷却不良を速やかに解消することができる。なお、この場合も、冷蔵室用冷却器除霜ヒータ２６の作動をそのようにするのではなく、冷蔵室用ファン２１の作動をそのようにしても良く、あるいはその両者をそのようにしても良い。
【００８０】
又、特定条件が満たされた場合には、冷凍モード中での冷蔵室用冷却器除霜ヒータ２６の作動を、冷蔵室用冷却器温センサ２８の検知結果が第１の所定温度（除霜終了温度）以上になったことで停止するようにしている（ステップＤ４）。これにより、冷蔵室用冷却器２０の除霜が適切な長さでできる。この場合も、冷蔵室用冷却器除霜ヒータ２６の作動をそのようにするのではなく、冷蔵室用ファン２１の作動をそのようにしても良く、あるいはその両者をそのようにしても良い。
【００８１】
［第５実施例］
図１８ないし図２０に示す第５実施例においても、第１実施例に対して、特定条件、冷蔵室用冷却器除霜ヒータ２６の作動タイミング、停止タイミングを変更している。
【００８２】
具体的には、まず図１８に示すように、スタート後の、「Ｆ冷却」（ステップＡ１）を実行する前に、庫外温度が所定温度以上であるか否かの判断をする（ステップＥ１）。この場合、庫外温度は冷蔵庫外の温度であって、冷蔵庫が設置された部屋の温度であり、それを前記本体キャビネット１から外部の温度を検知するように設けた庫外温度センサによって検知し、制御装置５０に入力する。この庫外温度の所定温度は、この場合、例えば１０〔℃〕である。
【００８３】
上記ステップＥ１で、所定温度以上である（ＹＥＳ）と判断されれば、ステップＡ１〜Ａ１２へと進むが、所定温度以上ではない（ＮＯ：１０〔℃〕未満の低温度である）と判断されれば、特定モードへ進む。
【００８４】
この場合の特定モードは図２０に示すとおりであり、「Ｆ冷却」（ステップＡ２０２）を開始した後の、「Ｒファン作動」（ステップＡ２０３）をする前に、Ｒエバヒータ（冷蔵室用冷却器除霜ヒータ２６）を作動させる（ステップＥ２０１）。
すなわち、この場合には、庫外温度が低温度であるときに、冷凍モード中に冷蔵室用ファン２１を作動させると共に冷蔵室用冷却器除霜ヒータ２６を作動させて冷蔵室用冷却器２０の除霜を行う制御をするようにしているのである。
【００８５】
特定モードのそのほかは、第１実施例（図３）同様であり、従って、冷凍モード（Ｆ冷却：ステップＡ２０２）中に冷蔵室用ファン２１を作動させて冷蔵室用冷却器２０の除霜を行い（Ｒファン作動：ステップ２０３）、且つ、冷凍モードから冷蔵モード（Ｒ冷却：ステップＡ２１０）への移行を冷蔵室用冷却器温センサ２８の検知結果が第１の所定温度以上であるとき（ステップＡ２０５でＹＥＳ）に実行する制御をするようにしている。
【００８６】
そして又、この特定モードのステップＡ２０４、並びに前記通常モードのステップＡ３で、それぞれＦ冷却の積算時間が所定時間以上になった（ＹＥＳ）と判断された場合に進む除霜モードでは、図１９に示すように、ステップＡ１０３で、ステップＡ１２でカウントした、冷蔵室用冷却器２０が除霜終了温度に達しなかった回数が所定のＮ回以上ではない（ＮＯ）と判断されたときに、前記ステップＥ１と同じく、庫外温度が所定温度以上であるか否かの判断をする（ステップＥ１０１）。この場合の所定温度も例えば１０〔℃〕である。
【００８７】
上記ステップＥ１０１で、庫外温度が所定温度以上である（ＹＥＳ）と判断されれば、ステップＡ１０４、Ａ１０５、Ａ１０６を順に経、その後に、復帰モ−ドとして、Ｆ冷却を所定時間行い（ステップＥ１０２）、次いでＲ冷却を所定時間行い（ステップＥ１０３）、更に、Ｆ冷却を開始する（ステップＥ１０４）。
【００８８】
その後、Ｒエバの温度上昇時間のカウントを開始しステップＥ１０５）、次いで、「Ｒエバ温度」が所定温度以上になったか否かの判断をする（ステップＥ１０６）。このステップＥ１０６で、所定温度以上になった（ＹＥＳ：冷蔵室用冷却器２０の温度が除霜終了温度に達した）と判断されれば、次に、「Ｒファン」（冷蔵室用ファン２１）を停止させると共に、Ｒエバの温度上昇時間のカウントを停止する（ステップＥ１０７）。
【００８９】
その後、「Ｆ冷却」を終了し（ステップＥ１０８）、次いで、「Ｒ冷却」をして（ステップＥ１０９）、更に、上記ステップＥ１０５〜Ｅ１０７でカウントしたＲエバの温度上昇時間が所定時間（例えば３０〔分〕）以上であるか否かの判断をする（ステップＥ１１０）。そして、そのステップＥ１１０で、所定時間以上である（ＹＥＳ）と判断されれば、前記特定モードに進み、所定時間以上ではない（ＮＯ）と判断されれば、前記通常モードのステップＥ１に進む。
【００９０】
これに対して、前記ステップＥ１０１で、庫外温度が所定温度以上ではない（ＮＯ：１０〔℃〕未満の低温度である）と判断されれば、ステップＡ１０７、Ａ１０８を経る。すなわち、この場合には、Ｆエバヒータを作動させるのに続いて、Ｒエバヒータを作動させる。
その後は、前記ステップＡ１０５、Ａ１０６、Ｅ１０２〜Ｅ１０７同様の、ステップＡ１０９、Ａ１１０、Ｅ１１１〜Ｅ１１６を経、その後に、Ｒエバヒータの作動を停止させ（ステップＥ１１７）て、ステップＥ１０８に進む。
【００９１】
このように本実施例においては、庫外温度が低温度である場合（ステップＥ１でＹＥＳ）を特定条件としている。庫外温度が低温度である場合、庫外温度と冷蔵室５の温度との温度差が小さいため、冷蔵室５を冷却する頻度が少なくなってしまう。このため、冷凍モードと冷蔵モードの１回ずつの実行を１サイクルとして、Ｒエバ温度が所定温度（例えば３〔℃〕）以上になったことを３サイクル継続してカウントしたときにＲエバに残霜あり、と判断するようにしていると、サイクルの実行がＦ冷却の積算時間が所定時間に達するまでに０〜２回に留まると（庫外温度が低温度であることによる）、Ｒエバに残霜があっても残霜なしと判断してしまう。通常、冷蔵室の冷却頻度が小さければＲエバの着霜量は多くないが、何らかの異常により多く着霜してしまった場合には、上述のように判断したとき、それを融かすことができない。
【００９２】
それに対して、本実施例においては、庫外温度が低温度である場合を特定条件として、その場合に、特定モードで、第１実施例同様に、冷凍モード中に冷蔵室用ファン２１を作動させて冷蔵室用冷却器２０の除霜を行い（ステップＡ２０２、Ａ２０３）、そして、冷凍モードから冷蔵モードへの移行（ステップＡ２０８〜Ａ２１０）を冷蔵室用冷却器温センサ２８の検知結果が第１の所定温度（除霜終了温度）以上であるとき（ステップＡ２０５でＹＥＳ）に実行するので、冷蔵室用冷却器２０の確実な除霜ができ、その結果、冷蔵室５の冷却が、冷蔵室用冷却器２０に霜を残さずに効率良く行われ、冷却性能の低下を来たさないようにできると共に、消費電力の節減ができる。
【００９３】
又、本実施例においては、庫外温度が低温度である場合に、特定モードで、冷凍モード中に冷蔵室用ファン２１と冷蔵室用冷却器除霜ヒータ２６とを作動させて冷蔵室用冷却器２０の除霜を行う（Ａ２０１、ステップＥ２０１、Ａ２０３）ので、冷蔵室用冷却器２０の一層確実な除霜ができ、その結果、冷蔵室５の冷却が、冷蔵室用冷却器２０に霜を一層残さずに効率良く行われ、冷却性能の低下を一段と来たさないようにできると共に、消費電力の一層の節減ができる。
【００９４】
［第６実施例］
図２１に示す第６実施例においては、上記第５実施例のものにおいて、冷蔵室５の温度を設定する冷蔵室温設定手段を有し、その設定に応じて冷蔵室５の温度が低温度であると判断するしきい値を変更するようにしている。
【００９５】
具体的には、前記ステップＥ１の前に、冷蔵室温設定手段による冷蔵室５の温度設定（Ｒ室温設定）が適温であるか否かの判断をする（ステップＦ１）。このステップＦ１で、適温である（ＹＥＳ）と判断されれば、ステップＥ１で庫外温度が所定温度以上であるか否かの判断をするときの、その所定温度（しきい値）を通常温度（例えば前述の１０〔℃〕）に設定し（ステップＦ２）、その後、ステップＥ１に進む。
【００９６】
従って、この場合、ステップＥ１では、前述のとおり、庫外温度が例えば１０〔℃〕以上である（ＹＥＳ）と判断されたときに図１８に示した通常モードに進んで前記ステップＡ１〜Ａ１２を経、一方、ステップＥ１で、庫外温度が例えば１０〔℃〕以上ではない（ＮＯ：１０〔℃〕未満の低温度である）と判断されたときに図２０に示した特定モードに進んで前記ステップＡ２０１〜Ａ２１２（ステップＥ２０１を含む）を経る。
【００９７】
これに対して、ステップＦ１で、適温ではない（ＮＯ）と判断されれば、冷蔵室温設定手段による冷蔵室５の温度設定（Ｒ室温設定）が上記適温より低い「弱」であるか否かの判断をし（ステップＦ３）、このステップＦ３で、「弱」である（ＹＥＳ）と判断されれば、ステップＥ１で庫外温度が所定温度以上であるか否かの判断をするときの、その所定温度（しきい値）を通常温度より高い（＋α）温度（例えば１２〔℃〕）に設定し（ステップＦ４）、その後、ステップＥ１に進む。
【００９８】
従って、この場合には、ステップＥ１で、庫外温度が例えば１２〔℃〕以上である（ＹＥＳ）と判断されたときに通常モードに進んで前記ステップＡ１〜Ａ１２を経、一方、ステップＥ１で、庫外温度が例えば１０〔℃〕以上ではない（ＮＯ：１０〔℃〕未満の低温度である）と判断されたときに特定モードに進んで前記ステップＡ２０１〜Ａ２１２（ステップＥ２０１を含む）を経る。
【００９９】
一方、ステップＦ３で、「弱」ではない（ＮＯ）と判断されれば、「強」であると判断して」、ステップＥ１で庫外温度が所定温度以上であるか否かの判断をするときの、その所定温度（しきい値）を通常温度より低い（−α）温度（例えば８〔℃〕）に設定し（ステップＦ５）、その後、ステップＥ１に進む。
【０１００】
従って、この場合には、ステップＥ１で、庫外温度が例えば８〔℃〕以上である（ＹＥＳ）と判断されたときに通常モードに進んで前記ステップＡ１〜Ａ１２を経、一方、ステップＥ１で、庫外温度が例えば８〔℃〕以上ではない（ＮＯ：１０〔℃〕未満の低温度である）と判断されたときに特定モードに進んで前記ステップＡ２０１〜Ａ２１２（ステップＥ２０１を含む）を経る。
【０１０１】
これらの制御は下記の理由による。すなわち、庫外温度が同様に低いときでも、冷蔵室の温度設定により冷蔵室５を冷却する頻度が異なるもので、冷蔵室の温度設定を高め（「強」）にしたときよりも、低め（「弱」）にしたときの方が、冷蔵室５を冷却する頻度が少なくなってしまい、Ｒエバの残霜判断に誤りを生じやすくなる。
【０１０２】
このため、上述のように、冷蔵室の温度設定を低め（「弱」）にしたときの庫外温度の低判断をしやすく（庫外温度が通常より高い温度段階で低温度と判断する）してやって、特定モードによるＲエバの除霜が行われやすくしている。かくして、この場合にも、冷蔵室５の冷却が、冷蔵室用冷却器２０に霜を残さずに効率良く行われるようになり、冷却性能の低下を来たさないようにできると共に、消費電力の節減ができる。
【０１０３】
なお、庫外温度が低温度であるときに、上述のように冷蔵室用冷却器除霜ヒータ２６とを作動させれば、冷蔵室５の温度の異常低下を防止する効果もあり、そのときに又、野菜室７の温度を保証するヒータを有するものでは、そのヒータをも作動させることにより、冷蔵室５の温度の異常低下を一層防止できる効果がある。
【０１０４】
そのほか、特定条件としては、冷凍サイクル４４の圧縮機３７の運転率が高くて所定の運転率以上である場合や、同圧縮機３７が設定回転速度より高い回転速度で回転した運転の積算時間が多くて所定時間（第１の所定時間）以上である場合、並びに冷蔵モードの運転積算時間、又は冷蔵モードと冷凍モードの合計運転積算時間が多くて所定時間（第２の所定時間）以上である場合でも、それぞれ、冷却負荷が大きく、冷蔵室用冷却器２０の着霜量が多いと推測されるため、そのように場合にも、上述のような制御をするようにしても良い。
【０１０５】
又、特定条件は、上述のもののいずれ１つずつでなく、複数を組合わせたものであっても良い。
更に、Ｒファンの作動、Ｒエバヒータの作動は、連続的でなく、断続的であっても良いもので、そのほか、印加電圧を変化させて行うようにしても良い。又、Ｒファンの作動中に冷蔵室５の扉３９が開放されれば、冷気の逃散を防止すべく、Ｒファンの作動を停止させるが、このような扉の開放に応じた、Ｒファンの作動停止やあるいはＲエバヒータの作動停止は、Ｒファンの作動及びＲエバヒータの作動に含まれるものとする。
【０１０６】
加えて、Ｒエバヒータの発熱量が大きい場合には、Ｒファンを作動させると、冷蔵室５の熱的悪影響も考えられるため、特定条件が満たされた場合、冷凍モード中でのＲエバヒータを作動中、冷蔵室用ファンは停止させるようにしても良い。
【０１０７】
そして、特定条件が満たされた場合には、冷凍室用冷却器２２の排水を受ける排水樋３１の氷結も心配されるため、その場合、排水樋３１を加熱する排水樋ヒータ３３を、通常（例えば５０〔％〕）よりも高い（例えば１００〔％〕）通電率で、又は通常よりも高い電圧で通電することにより、排水樋３１の氷結を生じないようにできる。又、この排水樋ヒータ３３の通電制御は、Ｒエバヒータの通電と同期させて行っても良く、あるいは第１ないし第３の実施例におけるＲエバヒータの通電制御を採用し、Ｒエバヒータとは独立して行うようにしても良い。
【０１０８】
更に、冷凍サイクル４４において三方弁４６で例示した弁は、三方弁４６のような流路を切替えるものではなく、流量を切替えるものであっても良い。
このほか、本発明は上記し且つ図面に示した実施例にのみ限定されるものではなく、要旨を逸脱しない範囲内で適宜変更して実施し得る。
【図面の簡単な説明】
【０１０９】
【図１】本発明の第１実施例を示すタイムチャートその１
【図２】タイムチャートその２
【図３】タイムチャートその３
【図４】各部の温度の変化と併せて示す各部のタイムチャート
【図５】冷蔵庫全体の縦断側面図
【図６】冷凍サイクルの構成図
【図７】電気的構成のブロック図
【図８】本発明の第２実施例を示す図１相当図
【図９】図２相当図
【図１０】図３相当図
【図１１】図４相当図
【図１２】本発明の第３実施例を示す図１相当図
【図１３】図２相当図
【図１４】図３相当図
【図１５】図４相当図
【図１６】本発明の第４実施例を示す図１相当図
【図１７】図４相当図
【図１８】本発明の第５実施例を示す図１相当図
【図１９】図２相当図
【図２０】図３相当図
【図２１】本発明の第６実施例を示す図１８部分相当図
【符号の説明】
【０１１０】
図面中、５は冷蔵室、８は冷凍室、２０は冷蔵室用冷却器、２１は冷蔵室用ファン、２２は冷凍室用冷却器、２６は冷蔵室用冷却器除霜ヒータ、２７は冷凍室用冷却器除霜ヒータ、２８は冷蔵室用冷却器温センサ、３１は排水樋、３３は排水樋ヒータ、３７は圧縮機、４４は冷凍サイクル、４５は凝縮器、４６は三方弁（弁）、５０は制御装置（制御手段）を示す。
【図１】
2009068820.tif 000003
【図２】
2009068820.tif 000004
【図３】
2009068820.tif 000005
【図４】
2009068820.tif 000006
【図５】
2009068820.tif 000007
【図６】
2009068820.tif 000008
【図７】
2009068820.tif 000009
【図８】
2009068820.tif 000010
【図９】
2009068820.tif 000011
【図１０】
2009068820.tif 000012
【図１１】
2009068820.tif 000013
【図１２】
2009068820.tif 000014
【図１３】
2009068820.tif 000015
【図１４】
2009068820.tif 000016
【図１５】
2009068820.tif 000017
【図１６】
2009068820.tif 000018
【図１７】
2009068820.tif 000019
【図１８】
2009068820.tif 000020
【図１９】
2009068820.tif 000021
【図２０】
2009068820.tif 000022
【図２１】
2009068820.tif 000023